(57)【要約】【課題】ボディ本体の姿勢を固定した状態で回転光学要素の回転角度位置を調整して所望の撮影効果を決めた後は、たとえボディ本体の姿勢が変化したとしても、回転光学要素によって得られる所望の撮影効果を維持する。【解決手段】回転駆動制御部１２０は、撮影効果ロック部１５０の入力操作が行われた後に、姿勢取得部１３０が取得するボディ本体２００の姿勢が変化したとき、回転駆動部１１１を介して回転光学要素１１０を回転駆動し、撮影効果ロック部１５０の入力操作が行われた時点における回転光学要素１１０の重力方向に対する回転角度位置を維持する。【選択図】図５
2014035536.tif 000002
【特許請求の範囲】
【請求項１】
ボディ本体に、撮影光学系と、前記撮影光学系の光路上で光軸を中心に回転することで異なる撮影効果を与える回転光学要素と、前記回転光学要素を回転駆動する回転駆動部とを備えた撮影装置において、
前記ボディ本体の姿勢を取得する姿勢取得部と、
前記回転光学要素の重力方向に対する回転角度位置を記憶するための入力操作を行う撮影効果ロック部と、
前記撮影効果ロック部の入力操作が行われた後に、前記姿勢取得部が取得する前記ボディ本体の姿勢が変化したとき、前記回転駆動部を介して前記回転光学要素を回転駆動し、前記撮影効果ロック部の入力操作が行われた時点における前記回転光学要素の重力方向に対する回転角度位置を維持する回転駆動制御部と、
を備えることを特徴とする撮影装置。
【請求項２】
請求項１記載の撮影装置において、
前記姿勢取得部は、前記ボディ本体の水平方向を基準とし且つ前記光軸と平行な軸を中心とする回転角度位置を取得し、
前記回転駆動制御部は、前記撮影効果ロック部の入力操作が行われた後に、前記姿勢取得部が取得する前記ボディ本体の回転角度位置が変化したとき、この回転角度位置の変化を打ち消すように、前記回転駆動部を介して前記回転光学要素を回転駆動する撮影装置。
【請求項３】
請求項２記載の撮影装置において、
前記姿勢取得部は、前記ボディ本体の水平方向を基準とし且つ前記光軸と平行な軸を中心とする回転角度位置を検出する水平水準器からなる撮影装置。
【請求項４】
請求項１ないし３のいずれか１項記載の撮影装置において、
前記回転駆動部を介して前記回転光学要素を回転駆動するための入力操作を行うフィルタ回転スイッチをさらに備えており、
前記回転駆動制御部は、前記撮影効果ロック部の入力操作が行われていないときは、前記フィルタ回転スイッチの入力操作を有効にし、前記撮影効果ロック部の入力操作が行われた後は、前記フィルタ回転スイッチの入力操作を無効にする撮影装置。
【請求項５】
請求項１ないし４のいずれか１項記載の撮影装置において、
前記回転光学要素を、前記撮影光学系の光路上に位置する挿入位置と、前記撮影光学系の光路上から離脱した離脱位置との間で挿脱駆動する挿脱駆動機構をさらに備える撮影装置。
【請求項６】
請求項１ないし５のいずれか１項記載の撮影装置において、
前記回転光学要素は、前記撮影光学系を通過する光束の偏光状態を変化させる偏光フィルタからなる撮影装置。
【請求項７】
ボディ本体に、撮影光学系と、前記撮影光学系の光路上で光軸を中心に回転することで異なる撮影効果を与える回転光学要素と、前記回転光学要素を回転駆動する回転駆動部とを備えた撮影装置において、前記回転光学要素を回転駆動制御する方法であって、
前記ボディ本体の姿勢を取得するステップと、
前記回転光学要素の重力方向に対する回転角度位置を記憶するための入力操作を行うステップと、
前記入力操作を行った後に取得した前記ボディ本体の姿勢が変化したとき、前記回転駆動部を介して前記回転光学要素を回転駆動し、前記入力操作を行った時点における前記回転光学要素の重力方向に対する回転角度位置を維持するステップと、
を備えることを特徴とする回転光学要素の回転駆動制御方法。
【請求項８】
請求項７記載の回転光学要素の回転駆動制御方法において、
前記取得するステップでは、前記ボディ本体の水平方向を基準とし且つ前記光軸と平行な軸を中心とする回転角度位置を取得し、
前記維持するステップでは、前記入力操作を行った後に取得した前記ボディ本体の回転角度位置が変化したとき、この回転角度位置の変化を打ち消すように、前記回転駆動部を介して前記回転光学要素を回転駆動する回転光学要素の回転駆動制御方法。
【発明の詳細な説明】
【技術分野】
【０００１】
本発明は、撮影光学系の光路上で光軸を中心に回転することで異なる撮影効果を与える回転光学要素を備えた撮影装置、及びこの撮影装置における回転光学要素の回転駆動制御方法に関する。
【背景技術】
【０００２】
従来、カメラボディ（ボディ本体）に、撮影光学系と、この撮影光学系の光路上で光軸を中心に回転することで撮影光学系を通過する光束の偏光状態を変化させる偏光フィルタ（回転光学要素）と、この偏光フィルタを回転駆動する回転駆動部とを備えた偏光フィルタ内蔵型のデジタルカメラ（撮影装置）が知られている。
【０００３】
この種のデジタルカメラを用いて撮影を行うとき、撮影者は、カメラボディを横構図または縦構図の所定の姿勢で固定し、回転駆動部を介して偏光フィルタを所望の偏光効果が得られる回転角度位置まで回転駆動し、シャッターボタンを押して撮影を実行する。これにより撮影者は、偏光フィルタによる所望の偏光効果が反映された撮影画像を得ることができる。
【０００４】
しかし実際の撮影場面では、図６に示すように、回転駆動部を介して偏光フィルタを所望の偏光効果が得られる回転角度位置まで回転駆動した後であってシャッターボタンを押して撮影を実行する前に、カメラボディを９０°回転させて横構図から縦構図（または縦構図から横構図）に姿勢変換することがある。このカメラボディの姿勢変換に伴って偏光フィルタの重力方向に対する回転角度位置も９０°ずれることになるので、偏光フィルタにより得られる偏光効果が大幅に変化してしまう。図示例では、カメラボディの姿勢変換前は偏光フィルタの偏光効果によって水面反射を除去することで水中の魚をはっきりと撮影可能であるが、カメラボディの姿勢変換後は水面反射を除去しきれずに水中の魚が殆ど見えなくなっている。そのため、カメラボディの姿勢変換後にあらためて偏光フィルタの回転角度位置の調整を行わなければならず煩雑であり、その調整中にシャッターチャンスを逃してしまうことにもなりかねない。
【０００５】
一方、特許文献１には、最も測光データの低い回転角度位置を偏光フィルタの最適な回転角度位置として設定した後、露光動作の実行以前にカメラボディの姿勢が変化したときに、警告を行い、偏光フィルタの回転角度位置の再設定を行うことが開示されている。その際には、初期の設定動作位置（姿勢変化前）ではなく、再設定動作開始時の位置（姿勢変化後）を基準として偏光フィルタの回転角度位置の再設定を行うことで、最適な偏光効果を得られる状態への復帰の迅速化を図っている。
【０００６】
しかし、特許文献１は、カメラボディの姿勢変化を検知する度に、あらためて偏光フィルタの最適な回転角度位置を探索する動作を行わなければならないので、制御シーケンスが複雑となり、偏光フィルタの回転角度位置の再設定動作によるタイムラグが大きくなってしまう。このため動体等の撮影に関して非常な不都合が生じるおそれがある。また、偏光フィルタによってどのような偏光効果を得たいと考えるかは撮影者によってまちまちであるところ、特許文献１は、最も測光データの低い回転角度位置を偏光フィルタの最適な回転角度位置として一律に設定しているため、撮影者ごとの撮影の趣向に対応することができず満足度が低いと考えられる。
【先行技術文献】
【特許文献】
【０００７】
【特許文献１】特開２００１−１７４８９８号公報
【発明の概要】
【発明が解決しようとする課題】
【０００８】
本発明は、以上の問題意識に基づいて完成されたものであり、ボディ本体の姿勢を固定した状態で回転光学要素の回転角度位置を調整して所望の撮影効果を決めた後は、たとえボディ本体の姿勢が変化したとしても、回転光学要素によって得られる所望の撮影効果を維持することができる撮影装置及び回転光学要素の回転駆動制御方法を得ることを目的とする。
【課題を解決するための手段】
【０００９】
本発明の撮影装置は、ボディ本体に、撮影光学系と、前記撮影光学系の光路上で光軸を中心に回転することで異なる撮影効果を与える回転光学要素と、前記回転光学要素を回転駆動する回転駆動部とを備えた撮影装置において、前記ボディ本体の姿勢を取得する姿勢取得部と、前記回転光学要素の重力方向に対する回転角度位置を記憶するための入力操作を行う撮影効果ロック部と、前記撮影効果ロック部の入力操作が行われた後に、前記姿勢取得部が取得する前記ボディ本体の姿勢が変化したとき、前記回転駆動部を介して前記回転光学要素を回転駆動し、前記撮影効果ロック部の入力操作が行われた時点における前記回転光学要素の重力方向に対する回転角度位置を維持する回転駆動制御部と、を備えることを特徴としている。
【００１０】
前記姿勢取得部は、前記ボディ本体の水平方向を基準とし且つ前記光軸と平行な軸を中心とする回転角度位置を取得し、前記回転駆動制御部は、前記撮影効果ロック部の入力操作が行われた後に、前記姿勢取得部が取得する前記ボディ本体の回転角度位置が変化したとき、この回転角度位置の変化を打ち消すように、前記回転駆動部を介して前記回転光学要素を回転駆動することができる。
【００１１】
前記姿勢取得部は、前記ボディ本体の水平方向を基準とし且つ前記光軸と平行な軸を中心とする回転角度位置を検出する水平水準器から構成することができる。
【００１２】
本発明の撮影装置は、前記回転駆動部を介して前記回転光学要素を回転駆動するための入力操作を行うフィルタ回転スイッチをさらに備えており、前記回転駆動制御部は、前記撮影効果ロック部の入力操作が行われていないときは、前記フィルタ回転スイッチの入力操作を有効にし、前記撮影効果ロック部の入力操作が行われた後は、前記フィルタ回転スイッチの入力操作を無効にすることができる。
【００１３】
本発明の撮影装置は、前記回転光学要素を、前記撮影光学系の光路上に位置する挿入位置と、前記撮影光学系の光路上から離脱した離脱位置との間で挿脱駆動する挿脱駆動機構をさらに備えていてもよい。
【００１４】
前記回転光学要素は、前記撮影光学系を通過する光束の偏光状態を変化させる偏光フィルタから構成することができる。
【００１５】
本発明の回転光学要素の回転駆動制御方法は、ボディ本体に、撮影光学系と、前記撮影光学系の光路上で光軸を中心に回転することで異なる撮影効果を与える回転光学要素と、前記回転光学要素を回転駆動する回転駆動部とを備えた撮影装置において、前記回転光学要素を回転駆動制御する方法であって、前記ボディ本体の姿勢を取得するステップと、前記回転光学要素の重力方向に対する回転角度位置を記憶するための入力操作を行うステップと、前記入力操作を行った後に取得した前記ボディ本体の姿勢が変化したとき、前記回転駆動部を介して前記回転光学要素を回転駆動し、前記入力操作を行った時点における前記回転光学要素の重力方向に対する回転角度位置を維持するステップと、を備えることを特徴としている。
【００１６】
前記取得するステップでは、前記ボディ本体の水平方向を基準とし且つ前記光軸と平行な軸を中心とする回転角度位置を取得し、前記維持するステップでは、前記入力操作を行った後に取得した前記ボディ本体の回転角度位置が変化したとき、この回転角度位置の変化を打ち消すように、前記回転駆動部を介して前記回転光学要素を回転駆動することができる。
【発明の効果】
【００１７】
本発明によれば、回転駆動制御部が、撮影効果ロック部の入力操作が行われた後に、姿勢取得部が取得するボディ本体の姿勢が変化したとき、回転駆動部を介して回転光学要素を回転駆動し、撮影効果ロック部の入力操作が行われた時点における回転光学要素の重力方向に対する回転角度位置を維持する。このため、ボディ本体の姿勢を固定した状態で回転光学要素の回転角度位置を調整して所望の撮影効果を決めた後は、たとえボディ本体の姿勢が変化したとしても、回転光学要素によって得られる所望の撮影効果を維持することができる。
【図面の簡単な説明】
【００１８】
【図１】本発明によるデジタルカメラの構成を示すブロック図である。
【図２】図２（Ａ）は、偏光フィルタを撮影光軸回りに回転させてその偏光方向を調整する様子を説明する図であり、図２（Ｂ）は、偏光フィルタの回転角度位置とＣＣＤに入射する被写体光束の信号出力との関係を示す図である。
【図３】カメラボディの水平方向を基準とし且つ撮影光軸と平行な軸を中心とする回転角度位置の移り変わりを示す図である。
【図４】本発明によるデジタルカメラ及び偏光フィルタの回転駆動制御方法の優位な作用効果を説明するための図である。
【図５】本発明による偏光フィルタの回転駆動制御方法を示すフローチャートである。
【図６】従来のデジタルカメラ及び偏光フィルタの回転駆動制御方法の技術課題を説明するための図である。
【発明を実施するための形態】
【００１９】
図１は、本発明によるデジタルカメラ（撮影装置）１００のブロック図である。デジタルカメラ１００は、カメラボディ（ボディ本体）２００の内部の撮影光軸Ｚ上に位置させて、物体側から順に、固定レンズ１０１と、可動のフォーカシングレンズ１０２と、ＣＣＤ（撮像素子）１０３とからなる撮影光学系を備えている。固定レンズ１０１とフォーカシングレンズ１０２は、入射した被写体光束をＣＣＤ１０３の撮像面１０３ａに結像させる。フォーカシングレンズ１０２は、フォーカシングモータを含むフォーカシングレンズ駆動部１０２ａにより駆動されて、フォーカシング時に撮影光軸Ｚ方向に移動する。
【００２０】
デジタルカメラ１００は、ＣＣＤ１０３の前方の固定レンズ１０１とフォーカシングレンズ１０２の間に、偏光フィルタ（回転光学要素）１１０を備えている。偏光フィルタ１１０は、図示しない挿脱駆動機構によって、撮影光軸Ｚ上（撮影光路内）に位置する挿入位置と、撮影光軸Ｚ（撮影光路）から脱した離脱位置との間で挿脱自在である。図１は偏光フィルタ１１０が挿入位置にある場合を描いている。偏光フィルタ１１０を挿脱する挿脱駆動機構は、例えば特開２００７−３９７０号公報に記載されているように周知である。
【００２１】
偏光フィルタ１１０は、その挿入位置において、偏光フィルタ駆動部（回転駆動部）１１１により駆動されて、撮影光軸Ｚ回りに回転自在である。図示していないが、偏光フィルタ駆動部１１１は、偏光フィルタ１１０を所定角度ずつステップ駆動するステッピングモータと、このステッピングモータを回転制御するモータドライバとを備えている。
【００２２】
偏光フィルタ１１０は、例えば自身の偏光方向（偏光格子の方向）に振動する光のみを透過させる機能を持つ直線偏光フィルタである。従って、偏光フィルタ１１０を撮影光軸Ｚ回りに回転させてその偏光方向（偏光格子の方向）を調整することで、ＣＣＤ１０３に入射する被写体光束の偏光状態を変化させて、被写体の反射を低減または除去することができる。
【００２３】
図２（Ａ）、（Ｂ）は、偏光フィルタ１１０を撮影光軸Ｚ回りに回転させたときの偏光フィルタ１１０の回転角度位置とＣＣＤ１０３に入射する被写体光束の信号出力との関係（偏光特性）を示している。ここでは、偏光フィルタ１１０の偏光方向が重力方向（鉛直方向）に向いているときの回転角度位置を０°又は１８０°と定義して、偏光フィルタ１１０を図中の時計方向に回転させたときの回転角度を正の値で示している。また偏光フィルタ１１０は、その回転角度位置がθ°のときの偏光効果とその回転角度位置がθ＋１８０°のときの偏光効果とが同一となる偏光特性を有している。点Ｘ１、Ｘ２で示すように、偏光フィルタ１１０の回転角度位置が０°又は１８０°のときは、光の透過率が最大となり、ＣＣＤ１０３に入射する被写体光束の信号出力が最大値（最大振幅値）を示す。点Ｙ１、Ｙ２、Ｙ３、Ｙ４で示すように、偏光フィルタ１１０の回転角度位置が４５°、１３５°、２２５°又は３１５°のときは、光の透過率が中間となり、ＣＣＤ１０３に入射する被写体光束の信号出力が中間値（中間振幅値）を示す。点Ｚ１、Ｚ２で示すように、偏光フィルタ１１０の回転角度位置が９０°又は２７０°のときは、光の透過率が最小となり、ＣＣＤ１０３に入射する被写体光束の信号出力が最小値（最小振幅値）を示す。
【００２４】
デジタルカメラ１００は、ＣＰＵ（回転駆動制御部）１２０と、Ａ／Ｄ変換器１０４と、信号処理回路１０５と、画像記録部１０６と、ＬＣＤモニタ１０７と、撮影操作部１０８とを備えている。ＣＰＵ１２０は、デジタルカメラ１００の各構成要素を統括的に制御する。Ａ／Ｄ変換器１０４は、ＣＣＤ１０３の撮像面１０３ａに結像した被写体像をアナログ信号からデジタル信号に変換して信号処理回路１０５に送る。信号処理回路１０５は、Ａ／Ｄ変換器１０４から送られたデジタル信号に所定の画像処理を施して画像信号とする。この画像信号は、ＣＰＵ１２０を介して、画像記録部１０６に記録され、ＬＣＤモニタ１０７に表示される。撮影操作部１０８は、例えば電源レバー、ズームスイッチ、シャッターボタン、モードダイヤルなどの撮影操作を行うものである。
【００２５】
デジタルカメラ１００は、カメラボディ２００の姿勢を取得する水平水準器（姿勢取得部）１３０を備えている。水平水準器１３０は、例えば、カメラボディ２００に内蔵された電子水準器、またはカメラボディ２００のアクセサリーシューに取り付けるアタッチメント方式の電子水準器もしくは液体式水準器などの周知のものを用いることができるが、その態様は問わない。
【００２６】
水平水準器１３０は、図３に示すように、カメラボディ２００の水平方向を基準とし且つ撮影光軸Ｚと平行な軸Ｐを中心とする回転角度位置を検出（取得）する。水平水準器１３０は、検出（取得）したカメラボディ２００の回転角度位置をＣＰＵ１２０に出力する。ＣＰＵ１２０は、カメラボディ２００の姿勢（回転角度位置）をリアルタイムでモニタリングし、さらにカメラボディ２００の姿勢（回転角度位置）の移り変わりを図示しないメモリに格納している。ここでは、本発明の理解を容易にするために、カメラボディ２００を横向きに構えて撮影光軸Ｚを水平方向に向けた状態（横構図）を、カメラボディ２００の回転角度位置が０°の基準姿勢位置と定義する。そしてこの基準姿勢位置からカメラボディ２００を前面から見て時計方向に回転させたときの回転角度を正の値で示している。
【００２７】
デジタルカメラ１００は、挿入位置にある偏光フィルタ１１０を撮影光軸Ｚ回りに回転させるための入力操作を行うフィルタ回転スイッチ１４０を備えている。フィルタ回転スイッチ１４０が押されている状態では、フィルタ回転スイッチ１４０からＣＰＵ１２０にフィルタ回転指示信号が入力して、ＣＰＵ１２０は、偏光フィルタ駆動部１１１を介して偏光フィルタ１１０を回転駆動する。一方、フィルタ回転スイッチ１４０が押されていない状態では、フィルタ回転スイッチ１４０からＣＰＵ１２０にフィルタ回転指示信号が入力せず、ＣＰＵ１２０は、偏光フィルタ駆動部１１１による偏光フィルタ１１０の回転駆動を行わない。これにより撮影者は、ＬＣＤモニタ１０７に表示されたライブビュー画像を見ながらフィルタ回転スイッチ１４０を操作して偏光フィルタ１１０の回転角度位置を変化させることで、偏光フィルタ１１０によって得られる偏光効果を調整することができる。
【００２８】
偏光フィルタ１１０を回転駆動する偏光フィルタ駆動部１１１のステッピングモータにはホールＩＣが設けられており、ＣＰＵ１２０は、このホールＩＣの出力（ステッピングモータのロータの回転角度に応じて変動する）を読み取ることで、偏光フィルタ１１０の回転角度位置を検出している。
【００２９】
デジタルカメラ１００は、偏光効果ロックスイッチ（偏光効果ロック部、撮影効果ロック部）１５０を備えている。偏光効果ロックスイッチ１５０は、フィルタ回転スイッチ１４０を操作して偏光フィルタ１１０による所望の偏光効果を決めたときに入力操作を行うことで、その入力操作が行われた時点における偏光フィルタ１１０の重力方向（鉛直方向）に対する回転角度位置を記憶して、偏光フィルタ１１０による偏光効果を維持するための機能を持っている。
【００３０】
より具体的に、偏光効果ロックスイッチ１５０の入力操作が行われると、ＣＰＵ１２０は、偏光フィルタ１１０のカメラボディ２００に対する相対回転位置から、偏光効果ロックスイッチ１５０の入力操作が行われた時点における偏光フィルタ１１０の重力方向（鉛直方向）に対する回転角度位置を記憶する。例えばＣＰＵ１２０は、カメラボディ２００の回転角度位置が０°の基準姿勢位置であるときは、図２（Ａ）、（Ｂ）に示したように、偏光フィルタ１１０の重力方向（鉛直方向）を基準とした回転角度位置を記憶する。
【００３１】
ＣＰＵ（回転駆動制御部）１２０は、偏光効果ロックスイッチ１５０の入力操作が行われていないときは、フィルタ回転スイッチ１４０の操作に応じて、偏光フィルタ駆動部１１１を介して偏光フィルタ１１０を回転駆動する。この回転駆動制御は従来品のそれと同一である。
【００３２】
一方、ＣＰＵ（回転駆動制御部）１２０は、偏光効果ロックスイッチ１５０の入力操作が行われた後は、フィルタ回転スイッチ１４０の操作を受け付けずに、水平水準器１３０から入力したカメラボディ２００の姿勢（回転角度位置）に応じた特殊な制御内容で、偏光フィルタ駆動部１１１を介して偏光フィルタ１１０を回転駆動する。
【００３３】
すなわちＣＰＵ（回転駆動制御部）１２０は、撮影効果ロックスイッチ１５０の入力操作が行われた後に水平水準器１３０から入力したカメラボディ２００の回転角度位置が変化したとき、この回転角度位置の変化を打ち消すように、偏光フィルタ駆動部１１１を介して偏光フィルタ１１０を回転駆動することで、撮影効果ロックスイッチ１５０の入力操作が行われた時点における偏光フィルタ１１０の重力方向（鉛直方向）に対する回転角度位置を維持する。
【００３４】
例えば、図４に示すように、撮影効果ロックスイッチ１５０の入力操作が行われた時点では、カメラボディ２００の回転角度位置が０°の基準姿勢位置（横構図）であり、撮影効果ロックスイッチ１５０の入力操作が行われた後に、カメラボディ２００の回転角度位置が９０°に変化（縦構図）した場合を想定する。この場合、ＣＰＵ（回転駆動制御部）１２０は、カメラボディ２００の回転角度位置が０°から９０°に変化するのに連動させて、偏光フィルタ駆動部１１１を介して偏光フィルタ１１０を−９０°回転駆動することで、撮影効果ロックスイッチ１５０の入力操作が行われた時点における偏光フィルタ１１０の重力方向（鉛直方向）に対する回転角度位置を維持している。これにより、カメラボディ２００の姿勢（回転角度位置）が変化する前後を通じて、偏光フィルタ１１０の偏光効果によって水面反射を除去することで水中の魚をはっきりと撮影可能となっている。
【００３５】
続いて、図５のフローチャートを参照して、本発明による偏光フィルタ１１０の回転駆動制御方法について説明する。
【００３６】
まずＣＰＵ（回転駆動制御部）１２０は、偏光フィルタ１１０が撮影光軸Ｚ上（撮影光路内）に位置する挿入位置にあるか否かを判定する（ステップＳ１）。ＣＰＵ１２０は、偏光フィルタ１１０が挿入位置にないと判定したときは（ステップＳ１：ＮＯ）、偏光フィルタ駆動部１１１による偏光フィルタ１１０の回転駆動を行わない。
【００３７】
ＣＰＵ１２０は、偏光フィルタ１１０が挿入位置にあるときは（ステップＳ１：ＹＥＳ）、撮影者によるフィルタ回転スイッチ１４０の入力操作に応じて、偏光フィルタ駆動部１１１を介して偏光フィルタ１１０を回転駆動することで、偏光フィルタ１１０によって得られる偏光効果を調整する（ステップＳ２）。
【００３８】
次いでＣＰＵ１２０は、偏光効果ロックスイッチ１５０の入力操作が行われたか否かを判定する（ステップＳ３）。ＣＰＵ１２０は、偏光効果ロックスイッチ１５０の入力操作が行われていないと判定したときは（ステップＳ３：ＮＯ）、引き続きフィルタ回転スイッチ１４０の入力操作に応じて、偏光フィルタ駆動部１１１によって偏光フィルタ１１０を回転駆動する（ステップＳ２）。
【００３９】
一方、ＣＰＵ１２０は、偏光効果ロックスイッチ１５０の入力操作が行われたと判定したときは（ステップＳ３：ＹＥＳ）、図示しないメモリから、水平水準器１３０が検出した、偏光効果ロックスイッチ１５０の入力操作が行われた時点におけるカメラボディ２００の水平方向を基準とし且つ撮影光軸Ｚと平行な軸Ｐを中心とする回転角度α°を取得（抽出）する（ステップＳ４）。ＣＰＵ１２０は、偏光効果ロックスイッチ１５０の入力操作が行われた後は、フィルタ回転スイッチ１４０の入力操作を無効とする。
【００４０】
偏光効果ロックスイッチ１５０の入力操作が行われた後においても、ＣＰＵ１２０は、水平水準器１３０からリアルタイムで入力してくる現時点での、カメラボディ２００の水平方向を基準とし且つ撮影光軸Ｚと平行な軸Ｐを中心とする偏光フィルタ１１０の回転角度β°を取得する（ステップＳ５）。
【００４１】
ＣＰＵ１２０は、偏光効果ロックスイッチ１５０の入力操作が行われた時点におけるカメラボディ２００の回転角度α°と、現時点でのカメラボディ２００の回転角度β°とを比較することで、偏光効果ロックスイッチ１５０の入力操作が行われた後にカメラボディ２００の姿勢（回転角度位置）が変化したか否かを判定する（ステップＳ６）。
【００４２】
ＣＰＵ１２０は、偏光効果ロックスイッチ１５０の入力操作が行われた後にカメラボディ２００の回転角度位置が変化していない（α°＝β°）と判定したときは（ステップＳ６：ＮＯ）、偏光フィルタ駆動部１１１による偏光フィルタ１１０の回転駆動を行わない（ステップＳ７）。
【００４３】
一方、ＣＰＵ１２０は、偏光効果ロックスイッチ１５０の入力操作が行われた後にカメラボディ２００の回転角度位置が変化した（α°≠β°）と判定したときは（ステップＳ６：ＹＥＳ）、この回転角度位置の変化を打ち消す回転駆動量（α°−β°）だけ、偏光フィルタ駆動部１１１を介して偏光フィルタ１１０を回転駆動することで、撮影効果ロックスイッチ１５０の入力操作が行われた時点における偏光フィルタ１１０の重力方向（鉛直方向）に対する回転角度位置を維持する（ステップＳ８）。
【００４４】
なお、ＣＰＵ１２０は、偏光フィルタ駆動部１１１のステッピングモータに設けられたホールＩＣの出力を読み取ることで偏光フィルタ１１０の回転角度位置の変化をモニタリングしておき、この偏光フィルタ１１０の回転角度位置の変化がカメラボディ２００の回転角度位置の変化を打ち消すための回転駆動量（α°−β°）と一致するか否かを確認する処理を行ってもよい。
【００４５】
このように本実施形態では、回転駆動制御部１２０が、撮影効果ロック部１５０の入力操作が行われた後に、姿勢取得部１３０が取得するボディ本体２００の姿勢が変化したとき、回転駆動部１１１を介して回転光学要素１１０を回転駆動し、撮影効果ロック部１５０の入力操作が行われた時点における回転光学要素１１０の重力方向に対する回転角度位置を維持する。このため、ボディ本体２００の姿勢を固定した状態で回転光学要素１１０の回転角度位置を調整して所望の撮影効果を決めた後は、たとえボディ本体２００の姿勢が変化したとしても、回転光学要素１１０によって得られる所望の撮影効果を維持することができる。
【００４６】
以上の実施形態では、偏光フィルタ１１０として直線偏光フィルタを用いた場合を例示して説明したが、円偏光フィルタを用いることも可能である。円偏光フィルタは、その回転角度位置がθ°のときの偏光効果とその回転角度位置がθ＋９０°のときの偏光効果とが同一となる偏光特性を有している。
【００４７】
以上の実施形態では、回転光学要素として偏光フィルタ１１０を用いた場合を例示して説明した。しかし、回転光学要素は、撮影光学系の光路上で光軸を中心に回転することで異なる撮影効果を与えるものであればよく、偏光フィルタ以外に、例えば、クロスフィルタ、多面効果フィルタ、ＮＤフィルタ、ハーフＮＤフィルタなどを用いることも可能である。
【００４８】
以上の実施形態では、カメラボディ２００の姿勢（回転角度位置）を取得する姿勢取得部として水平水準器１３０を用いた場合を例示して説明したが、例えば、加速度センサや角速度センサなどの各種センサまたはその組み合わせによって姿勢取得部を構成することも可能である。
【００４９】
以上の実施形態では、カメラボディ２００の姿勢（回転角度位置）を取得する姿勢取得部として水平水準器１３０を用いた場合を例示して説明した。しかし、デジタルカメラ１００の外部でカメラボディ２００の姿勢（回転角度位置）を検出してこれをＣＰＵ１２０に伝送（無線または優先）することにより、ＣＰＵ１２０がカメラボディ２００の姿勢（回転角度位置）を取得することも可能である。この態様ではＣＰＵ１２０が姿勢取得部を構成することになる。
【００５０】
以上の実施形態では、撮影者がフィルタ回転スイッチ１４０を操作して偏光フィルタ１１０の回転角度位置を調整することで、偏光フィルタ１１０によって得られる偏光効果を決める場合（手動調整）を例示して説明した。しかし、ＣＰＵ１２０が、例えば被写体輝度などの何らかの指標に基づいて偏光フィルタ駆動部１１１を介して偏光フィルタ１１０を回転駆動制御することで、偏光フィルタ１１０の回転角度位置を自動調整することも可能である。
【００５１】
以上の実施形態では、撮影操作部１０８等とは別の構成要素として設けた偏光効果ロックスイッチ１５０の入力操作を行うことで偏光効果ロックスイッチ１５０を発動させる場合を例示して説明した。しかし、偏光効果ロックスイッチ１５０を設ける態様や発動契機については種々の変更が可能である。例えば、偏光効果ロックスイッチ１５０の機能を撮影操作部１０８のシャッターボタンの一機能として設けて、シャッターボタンが半押しされたハーフレリーズ時に偏光効果ロックスイッチ１５０を発動させることができる。あるいは、ＬＣＤモニタ１０７を利用したタッチパネル方式のメニューから選択することで偏光効果ロックスイッチ１５０を発動させることもできる。
【符号の説明】
【００５２】
１００  デジタルカメラ（撮影装置）
１０１  固定レンズ（撮影光学系）
１０２  フォーカシングレンズ（撮影光学系）
１０２ａ  フォーカシングレンズ駆動部
１０３  ＣＣＤ（撮影光学系、撮像素子）
１０３ａ  撮像面
１０４  Ａ／Ｄ変換器
１０５  信号処理回路
１０６  画像記録部
１０７  ＬＣＤモニタ
１０８  撮影操作部
１１０  偏光フィルタ（回転光学要素）
１１１  偏光フィルタ駆動部（回転駆動部）
１２０  ＣＰＵ（回転駆動制御部、姿勢取得部）
１３０  水平水準器（姿勢取得部）
１４０  フィルタ回転スイッチ
１５０  偏光効果ロックスイッチ（偏光効果ロック部、撮影効果ロック部）
２００  カメラボディ（ボディ本体）
Ｚ  撮影光軸
Ｐ  カメラボディの回転軸
【図１】
2014035536.tif 000003
【図２】
2014035536.tif 000004
【図３】
2014035536.tif 000005
【図４】
2014035536.tif 000006
【図５】
2014035536.tif 000007
【図６】
2014035536.tif 000008